(57)【特許請求の範囲】
【請求項１】
周縁部で囲まれており、第１の面および第２の面を画定するコネクタプレート本体と、
第１面を画定する第１の表面から外側に、かつ、前記第１の表面に対して略平行に延び、前記第１面の前記第１の表面から伸びる第１の一対の脚部を有する第１水平部と、前記第１面の前記第１表面に第１のチャネルを画定する第１のブリッジ部分と、
前記第１面を画定する前記第１の表面から外側に、かつ、前記第１の表面に対して略平行に延び、前記第１面の前記第１の表面から伸びる第２の一対の脚部を有する第２水平部と、前記第１面の前記第１表面に第２のチャネルを画定する第２のブリッジ部分と、
を備えるコネクタプレートであって、
前記第１および第２のチャネルは、実質的に直線状であり、バッグの第１の持ち運び用ストラップを受ける第１の通路と、前記バッグの第２の持ち運び用ストラップを受ける第２の通路を、前記第１の通路が前記第２の通路に対して横断する向きにあるように形成する横断空間とを画定し、
前記第１および第２のブリッジ部分は、前記コネクタプレート本体の前記周縁部よりも内側で延び、前記コネクタプレート本体の前記周縁部の一部に形成されていない、コネクタプレート。
【請求項２】
前記第１の通路は、前記コネクタプレートに沿った縦軸を画定し、前記第２の通路は、前記コネクタプレートに沿った横軸を画定し、前記縦軸は前記横軸に対して横断する向きにある、請求項１に記載のコネクタプレート。
【請求項３】
前記第１および第２のブリッジ部分は、実質的に互いに平行である、請求項１又は２に記載のコネクタプレート。
【請求項４】
バッグ用の自己調整式持ち運び用ストラップシステムであって、
第１の持ち運び用ストラップと、
第２の持ち運び用ストラップと、
コネクタプレートを備え、
前記コネクタプレートは、
周縁部で囲まれており、後面および第１面を画定する前面を有するコネクタプレート本体と、
前記第１面を画定する前記前面から外側に延び、かつ、前記前面に対して略平行に延び、前記第１面の前記前面から伸びる第１の一対の脚部を有する第１水平部と、前記第１面の前記前面に第１のチャネルを画定する第１のブリッジ部分と、
前記第１面を画定する前記前面から外側に延び、かつ、前記前面に対して略平行に延び、前記第１面の前記前面から伸びる第２の一対の脚部を有する第２水平部と、前記第１面の前記前面に第２のチャネルを画定する第２のブリッジ部分と、
前記第１面に隣接する、または第１面近傍の前記第１のブリッジ部分と前記第２のブリッジ部分との間で画定される横断空間と、を備え、
前記第１のブリッジ部分および前記第２のブリッジ部分は、前記第１の持ち運び用ストラップを受け、
前記横断空間は、前記第１の持ち運び用ストラップが前記第２の持ち運び用ストラップを覆うように前記第２の持ち運び用ストラップを受け、
前記第１および第２のブリッジ部分は、前記コネクタプレート本体の前記周縁部よりも内側で延び、前記コネクタプレート本体の前記周縁部の一部に形成されておらず、
前記第１及び第２のチャネルは、実質的に直線状である
自己調整式持ち運び用ストラップシステム。
【請求項５】
前記第１の持ち運び用ストラップは、前記コネクタプレートと係合されるときに、前記第１のチャネルおよび前記第２のチャネルに挿入される、請求項４に記載のシステム。
【請求項６】
前記第１の持ち運び用ストラップは、前記コネクタプレートと係合させる際に、前記第１のチャネルと前記第２のチャネルとに挿入され、
前記第１および第２のチャネルは、前記第１の持ち運び用ストラップを受ける、縦軸に沿った第１の通路を画定するように並び、前記横断空間は、前記第２の持ち運び用ストラップを受ける、横軸に沿った第２の通路を画定する、請求項４又は５に記載のシステム。
【請求項７】
前記バッグには、ゴルフバッグ、工具バッグ、ブックバッグ、バックパック、ダッフルバッグ、コンピュータバッグ、スーツケース、またはリュックサックのうちの少なくとも１つが含まれる、請求項４から６のいずれか一項に記載のシステム。
【請求項８】
前記第１および第２の持ち運び用ストラップは、前記コネクタプレートに沿って互いに重なり、運んでいるときにゴルフバックが動いた場合に、手を使わなくても互いに対して移動する、請求項４から７のいずれか一項に記載のシステム。
【請求項９】
前記コネクタプレートは、第１の辺、第２の辺、第３の辺、および第４の辺を画定し、前記第１の辺および第２の辺の長さは実質的に等しく、前記第３の辺および第４の辺の長さは実質的に等しい、請求項４から８のいずれか一項に記載のシステム。
【請求項１０】
前記コネクタプレートは、第１の辺、第２の辺、第３の辺、および第４の辺を画定し、前記第１の辺および第２の辺の長さは実質的に等しく、前記第３の辺および第４の辺の長さは実質的に等しく、
前記第１の辺および第２の辺は、それぞれ前記第３の辺および第４の辺と比較して長さが長い、請求項４から８のいずれか一項に記載のシステム。
【請求項１１】
１つまたは複数のゴルフクラブを受け入れるチャンバと連通する開口を画定する第１の上側部分を有する細長い本体と、
前記細長い本体の第１の部分に連結されたそれぞれの第１の端部部分と、前記細長い本体の第２の部分に連結されたそれぞれの第２の端部部分とを有する第１の持ち運び用ストラップおよび第２の持ち運び用ストラップであって、前記第１の持ち運び用ストラップが前記第２の持ち運び用ストラップを覆う、第１および第２の持ち運び用ストラップと、
第１の表面と第２の表面とを画定し、周縁部で囲まれており、第１のブリッジ部分および第２のブリッジ部分を含む本体を有するコネクタプレートであって、第１のブリッジ部分は、第１面を画定する前記第１の表面から外側に、かつ、前記第１の表面に対して略平行に延び、前記第１面の前記第１の表面から伸びる第１の一対の脚部を有する第１水平部と、前記第１面の前記第１表面に第１のチャネルを画定し、第２のブリッジ部分は、前記第１面を画定する前記第１の表面から外側に、かつ、前記第１の表面に対して略平行に延び、前記第１面の前記第１の表面から伸びる第２の一対の脚部を有する第２水平部と、前記第１面の前記第１表面に第２のチャネルを画定し、前記第１のブリッジ部分および第２のブリッジ部分は、前記第１の持ち運び用ストラップを受ける第１の通路と、前記第２の持ち運び用ストラップを受ける第２の通路を、前記第１の通路が前記第２の通路に対して横断する向きにあるように形成する、前記第１および第２のブリッジ部分間に画定される横断空間とを画定し、前記第１および第２のブリッジ部分は、前記コネクタプレート本体の前記周縁部よりも内側で延び、前記コネクタプレート本体の前記周縁部の一部に形成されていない、コネクタプレートと、
を備え、
前記第１及び第２のチャネルは、実質的に直線状であるバッグ。
【請求項１２】
前記第１の持ち運び用ストラップは、互いに対して横断する向きで、前記第２の持ち運び用ストラップを覆う、請求項１１に記載のバッグ。
【請求項１３】
前記第１の通路は、前記コネクタプレートに沿った縦軸を画定し、前記第２の通路は、前記コネクタプレートに沿った横軸を画定し、前記コネクタプレートにおいて、前記縦軸は前記横軸に対して横断する向きにある、請求項１１又は１２に記載のバッグ。
【請求項１４】
前記第１の通路および前記第２の通路は、前記コネクタプレートの前記本体によって画定される第１の平面に隣接する、または第１の平面近傍にある、請求項１１から１３のいずれか一項に記載のバッグ。
【請求項１５】
前記第１の持ち運び用ストラップおよび前記第２の持ち運び用ストラップは、手を使わなくても自動調整可能なように、横断する向きに互いに対して移動する、請求項１１から１４のいずれか一項に記載のバッグ。
【請求項１６】
前記第１のブリッジ部分および前記第２のブリッジ部分はそれぞれ、前記第１のブリッジ部分と前記第２のブリッジ部分との間で画定される第２の長さと実質的に同じである第１の長さを画定する、請求項１１から１５のいずれか一項に記載のバッグ。
【請求項１７】
前記第１の長さおよび前記第２の長さは、それぞれ２５ｍｍ〜３５ｍｍの範囲である、請求項１６に記載のバッグ。
【請求項１８】
前記コネクタプレートは、前記第１のブリッジ部分とつながった第１のチャネルと、前記第２のブリッジ部分とつながった第２のチャネルとを含む、請求項１１から１７のいずれか一項に記載のバッグ。
【請求項１９】
前記第１および第２のブリッジ部分は、実質的に互いに平行である、請求項１１から１８のいずれか一項に記載のバッグ。
【請求項２０】
前記第１のチャネルおよび前記第２のチャネルは縦軸に沿って一列に整列する、請求項１１から１９のいずれか一項に記載のバッグ。
【請求項２１】
前記第１の持ち運び用ストラップ、または前記第２の持ち運び用ストラップのうちの少なくとも一方は、前記細長い本体の移動に応じて自動調整するように構成される、請求項１１から２０のいずれか一項に記載のバッグ。
【請求項２２】
前記第１の持ち運び用ストラップ、または前記第２の持ち運び用ストラップのうちの少なくとも一方は肩パッドを備える、請求項１１から２１のいずれか一項に記載のバッグ。
【請求項２３】
前記第１の持ち運び用ストラップは、前記細長い本体の第１の部分と係合する近位部分と、前記細長い本体の第２の部分と係合する遠位部分とを画定し、前記第２の持ち運び用ストラップは、前記細長い本体の前記第１の部分と係合する近位部分と、前記細長い本体の前記第２の部分と係合する遠位部分とを画定し、前記第１の持ち運び用ストラップは前記第２の持ち運び用ストラップを覆う、請求項１１から２２のいずれか一項に記載のバッグ。
【請求項２４】
前記第１の持ち運び用ストラップは、前記第１のブリッジ部分および前記第２のブリッジ部分内に配置される、請求項１１から２３のいずれか一項に記載のバッグ。
【請求項２５】
調整可能な持ち運び用ストラップシステムを有するゴルフバッグを製造する方法であって、
上側部分および下側部分を有する管状の細長い本体を形成することと、
第１の近位部分および第１の遠位部分を有する細長いストラップ本体を画定する第１の持ち運び用ストラップを形成することと、
第２の近位部分および第２の遠位部分を有する第２の細長い本体を画定する第２の持ち運び用ストラップを形成することと、
第１の表面と第２の表面とを画定し、周縁部で囲まれており、第１のブリッジ部分と第２のブリッジ部分とを含む本体を有するコネクタプレートを形成し、第１のブリッジ部分は、第１面を画定する前記第１の表面から外側に、かつ、前記第１の表面に対して略平行に延び、前記第１面の前記第１の表面から伸びる第１の一対の脚部を有する第１水平部と、前記第１面の前記第１表面に第１のチャネルを画定し、第２のブリッジ部分は、前記第１の表面から外側に、かつ、前記第１の表面に対して略平行に延び、前記第１面の前記第１の表面から伸びる第２の一対の脚部を有する第２水平部と、前記第１面の前記第１表面に第２のチャネルを画定し、第１のブリッジ部分および第２のブリッジ部分は、前記第１の持ち運び用ストラップを受けるように構成された第１の通路と、前記第２の持ち運び用ストラップを受けるように構成された第２の通路を、前記第１の通路が前記第２の通路に対して横断する向きにあるように形成する、前記第１および第２のブリッジ部分間に画定される横断空間とを共同して画定し、前記第１および第２の持ち運び用ストラップが、横断する向きで互いに重なっており、前記第１および第２のブリッジ部分は、前記コネクタプレート本体の前記周縁部よりも内側で延び、前記コネクタプレート本体の前記周縁部の一部に形成されていないことと、
を備え、
前記第１及び第２のチャネルは、実質的に直線状である方法。
【請求項２６】
前記コネクタプレートを形成することには、前記第１および第２のブリッジ部分が実質的に互いに平行であるように前記第１および第２のブリッジ部分を形成することが含まれる、請求項２５に記載の方法。
【請求項２７】
前記第１の持ち運び用ストラップを前記第１の通路に沿って配置し、前記第２の持ち運び用ストラップが前記第２の通路に沿って配置されるように、前記第２の持ち運び用ストラップを前記第１および第２のチャネルに挿入することをさらに備える、請求項２５又は２６に記載の方法。
【請求項２８】
前記第１の持ち運び用ストラップの前記第１の近位部分を前記管状の細長い本体の前記上側部分に取り付け、前記第１の遠位部分を前記管状の細長い本体の前記下側部分に取り付けることをさらに備える、請求項２５から２７のいずれか一項に記載の方法。
【請求項２９】
前記第２の持ち運び用ストラップの前記第２の近位部分を前記管状の細長い本体の前記上側部分に取り付け、前記第２の遠位部分を前記管状の細長い本体の前記下側部分に取り付けることをさらに備える、請求項２５から２８のいずれか一項に記載の方法。
【発明の詳細な説明】
【技術分野】
【０００１】
本開示は、バッグ用、特に、ゴルフバッグ用の調整可能な持ち運び用ストラップシステムに関する。
【背景技術】
【０００２】
多くのゴルフバッグは、略円筒形状を有し、閉じた底端部と開いた上端部を備えた、管状の繊維または皮革容器の形態をとることができ、開いた上端部を通じてゴルフクラブをゴルフバッグに出し入れする。ゴルフバックは、様々な意図された用途に、より良好に合わせるように、様々なサイズおよび材料で製造されるが、従来から２つの基本的なクラスに分類される。ゴルフバッグの第１のクラスは、手引きカートを用いて運ばれる、またはゴルフカートを用いて移送されるように設計された、通常、より大きく、より重いゴルフバッグであり、一方、ゴルフクラブバッグの第２のクラスは、プレイ中に人が持ち歩くように設計された、通常、より小さく、より軽いゴルフバッグである。
【発明の概要】
【発明が解決しようとする課題】
【０００３】
特に、ゴルフバッグの第２のクラスは、一般的に「キャリーバッグ」と呼ばれ、キャリーバッグは、ゴルフバッグを持ち上げて運ぶために使用できる持ち運び用ストラップ装置を使用して人が持ち歩く。多くのキャリーバッグは、ゴルフバッグを持ち上げて人の肩に当てて持ち歩くための、１つまたは２つのいずれかの持ち運び用ストラップで構成される持ち運び用ストラップ装置を有する。特に、一対の持ち運び用ストラップを有する持ち運び用ストラップ装置は、第１の持ち運び用ストラップが、バックルに沿って第２の持ち運び用ストラップと交差し、バックルが、交差した態様の両方の持ち運び用ストラップと係合するように構成することができる。バックルを使用するこの交差配置により、ゴルフバッグを持ち歩くときに、各持ち運び用ストラップを人のそれぞれの肩と係合させるのが可能になる。通常、バックルは、一方の持ち運び用ストラップが他方の持ち運び用ストラップと交差するのを可能にするのに、各持ち運び用ストラップをバックルに通さなければならないように配置された複数のスロットを画定し、これは、人がゴルフバッグを持ち歩くときに、持ち運び用ストラップが動くのを抑制するか、防止するか、または止める。したがって、人がゴルフバッグを持ち歩くときにゴルフバッグが動く場合、１つまたは複数の持ち運び用ストラップを断続的に調整することが必要なことがあり、それにより、持ち運び用ストラップを手で調整するために、人はゴルフバッグを下に置かなければならない。しかし、人がゴルフバッグを下に置き、持ち運び用ストラップに対して必要な調整を行うのに時間を割くことが必要なことがあるために、持ち運び用ストラップの手を使った調整は煩わしく、かつ時間がかかる。
【課題を解決するための手段】
【０００４】
本明細書で開示する技術は、コネクタプレートで具現化することができる。コネクタプレートは、コネクタプレート本体、第１のブリッジ部分、第２のブリッジ部分を含む。コネクタプレート本体は、第１の面および第２の面を画定する。第１のブリッジ部分は第１の面から延びる。第１のブリッジは第１のチャネルを画定する。第２のブリッジ部分は第２の面から延びる。第２のブリッジ部分は第２のチャネルを画定する。第１および第２のチャネルは、バッグの第１の持ち運び用ストラップを受けるように構成された第１の通路と、バッグの第２の持ち運び用ストラップを受けるように構成された第２の通路を、第１の通路が第２の通路に対して横断する向きにあるように形成する横断空間とを画定する。
【０００５】
上記の構成によれば、第１および第２の持ち運び用ストラップは、互いに対して自由に移動することができる。したがって、持ち運び用ストラップを容易に調整することができる。
【図面の簡単な説明】
【０００６】
【図１】自己調整式持ち運び用ストラップシステムに連結されたバッグの斜視図である。
【図２】第１の持ち運び用ストラップ、第２の持ち運び用ストラップ、およびコネクタプレートを有する自己調整式持ち運び用ストラップシステムの斜視図である。
【図３】自己調整式持ち運び用ストラップシステムに連結されたゴルフバッグの斜視図である。
【図４】自己調整式持ち運び用ストラップシステムが人と係合しているバッグの斜視図である。
【図５】自己調整式持ち運び用ストラップシステムが人と係合しているゴルフバッグの斜視図である。
【図６】コネクタプレートの正面斜視図である。
【図７】コネクタプレートの正面図である。
【図８】コネクタプレートの背面斜視図である。
【図９】コネクタプレートの背面図である。
【図１０】コネクタプレートの側面図である。
【図１１】コネクタプレートの端面図である。
【図１２】コネクタプレートの第１および第２のチャネル間に受けられた第１の持ち運び用ストラップの正面図である。
【図１３】第１および第２のチャネルに挿入され、コネクタプレートに沿って第１の持ち運び用ストラップを覆う第２の持ち運び用ストラップの正面図である。
【図１４】自己調整式持ち運び用ストラップシステムを有するゴルフバッグを製造する方法を示すフローチャートである。
【図１５】自己調整式持ち運び用ストラップシステムの別の実施形態に連結されたバッグの斜視図である。
【図１６】第１の持ち運び用ストラップ、第２の持ち運び用ストラップ、およびコネクタプレートを有する、図１５の自己調整式持ち運び用ストラップシステムの斜視図である。
【図１７】図１５の自己調整式持ち運び用ストラップシステムに連結されたゴルフバッグの斜視図である。
【図１８】自己調整式持ち運び用ストラップシステムが人と係合しているバッグの斜視図である。
【図１９】自己調整式持ち運び用ストラップシステムが人と係合しているゴルフバッグの斜視図である。
【図２０】コネクタプレートの別の実施形態の正面斜視図である。
【図２１】図１７のコネクタプレートの反対側の正面斜視図である。
【図２２】コネクタプレートの正面図である。
【図２３】コネクタプレートの背面図である。
【図２４】コネクタプレートの側面図である。
【図２５】コネクタプレートの端面図である。
【図２６】コネクタプレートの第１および第２のチャネル間に受けられた第１の持ち運び用ストラップの正面図である。
【図２７】第１および第２のチャネルに挿入され、コネクタプレートに沿って第１の持ち運び用ストラップを覆う第２の持ち運び用ストラップの正面図であり、一方で、第２の持ち運び用ストラップの可能な旋回移動角度も示している。
【図２８】図１５の自己調整式持ち運び用ストラップシステムを有するゴルフバッグを製造する方法を示すフローチャートである。
【発明を実施するための形態】
【０００７】
対応する参照文字は、図面の様々な図の中の対応する要素を示す。図で使用される見出しは、特許請求の範囲を限定すると解釈すべきでない。
【０００８】
本明細書で説明するように、自己調整式持ち運び用ストラップシステムを有するバッグ、および自己調整式持ち運び用ストラップシステムを有するかかるバッグを製造する方法は、バッグの（通常、第１のストラップおよび第２のストラップとして説明する）持ち運び用ストラップが、人の手を使う必要なしに、自動調整するのを可能にするように構成および用意される。自己調整式持ち運び用ストラップシステムは、第１のストラップを受けるように構成された２つのチャネルを有するコネクタプレートを含み、２つのチャネルはさらに、第２のストラップを受ける、第１および第２のチャネル間の横断空間を画定するように構成される。コネクタプレートは、第１および／または第２のストラップを挟み付ける、または締め付けるのを回避するように構成される。むしろ、第１および第２のストラップは、物品がバッグ内で動くか、またはバックがバッグを持ち歩いている人に対して移動するときに、ストラップがコネクタプレートに沿って、妨害なく自由に移動するのを可能にするように互いに重なる。その結果として、ストラップは手を使わずに調整することができる。バッグは、ゴルフクラブを運ぶためのゴルフバッグなどの、自己調整式持ち運び用ストラップシステムに取り付けられる任意のバッグとすることができる。
【０００９】
図１を参照すると、自己調整式持ち運び用ストラップシステム１０２の実施形態が、重い物体を収容できるバッグ１１５に連結されている。自己調整式持ち運び用ストラップシステム１０２は、コネクタプレート１０４に沿って、交差した態様で互いに重なる第１の持ち運び用ストラップ１１０および第２の持ち運び用ストラップ１１２を含む。コネクタプレート１０４は、人の手による任意の調整を必要とすることなしに、第１の持ち運び用ストラップ１１０および第２の持ち運び用ストラップ１１２が、互いに対して自己調整することを可能にするように構成されて、第１の持ち運び用ストラップ１１０および第２の持ち運び用ストラップ１１２は、図４に示すように、バッグ１１５の移動に応じて、第１の持ち運び用ストラップ１１０の軸９００か、または第２の持ち運び用ストラップ１１２の軸９０２のいずれかに沿って互いに対して自由に移動する。
【００１０】
一部の実施形態では、人がバッグ１１５を持ち歩くときにクッション効果をもたらすために、第１の持ち運び用ストラップ１１０は、第１の肩パッド１１４を含むことができ、第２の持ち運び用ストラップ１１２は、第２の肩パッド１１６を含むことができる。一部の実施形態では、第１の持ち運び用ストラップ１１０は、人が第１の持ち運びストラップ１１０の長さを調整するのを可能にする第１のバックル１５０を含むことができ、一方、第２の持ち運び用ストラップ１１２は、人が第２の持ち運び用ストラップ１１２の長さを調整することを可能にする第２のバックル１５２を含むことができる。
【００１１】
一部の実施形態では、第１の持ち運び用ストラップ１１０および第２の持ち運び用ストラップ１１２のそれぞれの近位部分１１８、１２２を第１のコネクタ装置１２７で共に係合させて、バッグ１１５の第１の端部１５６に隣接して、または第１の端部１５６の近傍で、第１の持ち運び用ストラップ１１０および第２の持ち運び用ストラップ１１２を連結することができる。同様に、第１の持ち運び用ストラップ１１０および第２の持ち運び用ストラップ１１２のそれぞれの遠位部分１２０、１２４を第２のコネクタ装置１２５で共に係合させて、バッグ１１５の第３の部分１５８に隣接して、または第２の端部１５８の近傍で、第１の持ち運び用ストラップ１１０および第２の持ち運び用ストラップ１１２を連結することができる。第１の持ち運び用ストラップ１１０および第２の持ち運び用ストラップ１１２の遠位部分１２０、１２４を第２のコネクタ装置１２５で共に係合させて、バッグ１１５の第２の端部１５７の反対側で、第１の持ち運び用ストラップ１１０および第２の持ち運び用ストラップ１１２を連結してもよい。しかし、他の実施形態では、第１の持ち運び用ストラップ１１０および第２の持ち運び用ストラップ１１２の近位部分１１８、１２２および遠位部分１２０、１２４は、さらなるコネクタ装置１２５、１２７を使用して、バッグ１１５に別々に連結することができる。一態様では、第１のコネクタ装置１２５および第２のコネクタ装置１２７は、リングおよびループ装置、独立バックル、フック式ファスナ装置、およびスナップ式コネクタ装置とすることができる。
【００１２】
図４および図６〜１１を参照して、コネクタプレート１０４は、既存のバッグ１１５に後付けで追加できるモジュール式部品である。コネクタプレート１０４は、第１の持ち運び用ストラップ１１０および第２の持ち運び用ストラップ１１２が、コネクタプレート１０４に沿って互いに重なることと、運んでいるときにバッグ１１５が動いた場合に、すなわち、バッグ１１５を運んでいる人に対してバッグ１１５の位置が変わったときに、第１の持ち運び用ストラップ１１０および第２の持ち運び用ストラップ１１２が、手を使わなくても、互いに対して移動することとを可能にするように構成されている。コネクタプレート１１０は、共同して略長方形形状を形成する第１の辺１３６、第２の辺１３８、第３の辺１４０、および第４の辺１４２を有する前面１２８および後面１３０によって画定されたコネクタ本体１０５を含む。一部の実施形態では、第１の辺１３６および第２の辺１３８は、実質的にまっすぐな形態を有することができ、一方、第３の辺１４０および第４の辺１４２は、全体的に湾曲した、または先細の形態を有することができる。一部の実施形態では、第１の辺１３６、第２の辺１３８、第３の辺１４０、および第４の辺１４２は、対称の形態、非対称または先細の形態、あるいは対称の形態と非対称または先細の形態との組み合わせを有することができるが、本明細書で説明する装置、製造する物品、および方法は、これに関して限定されるものではない。例えば、コネクタプレート本体１０５は、正方形の形態、円形の形態、だ円形の形態、および長方形の形態を有することができる。さらに示すように、コネクタプレート１０４は、平行な向きにある第１のブリッジ部分１３２および第２のブリッジ部分１３４を含み、第１のブリッジ部分１３２および第２のブリッジ部分１３４は、コネクタプレート本体１０５の、第１のブリッジ部分１３２と第２のブリッジ部分１３４との間の領域に横断空間１３１を画定する。第１のブリッジ部分１３２および第２のブリッジ部分１３４は、コネクタプレート本体１０５と係合または一体化することができる。
【００１３】
第１のブリッジ部分１３２および第２のブリッジ部分１３４は、平面８０４の上にそれぞれ第１のチャネル１４４および第２のチャネル１４６を画定し、平面８０４は、第１の持ち運び用ストラップ１１０または第２の持ち運び用ストラップ１１２が、第１のチャネル１４４および第２のチャネル１４６に挿入されたときに、第１の持ち運び用ストラップ１１０または第２の持ち運び用ストラップ１１２を受けるように構成されている。図６に示すように、第１のチャネル１４４および第２のチャネル１４６は、縦軸８００に沿った第１の通路を画定するように一列に整列し、一方、横断空間１３１は、横軸８０２に沿った第２の通路を画定するように位置を合わされている。縦軸８００に沿った第１の通路、および横軸８０２に沿った第２の通路は、交差する構成で互いに横断する向きに置くことができる。さらに、縦軸８００に沿った第１の通路は、第１の持ち運び用ストラップ１１０を受けるように構成することができ、一方、横軸８０２に沿った第２の通路は、第２の持ち運び用ストラップ１１２を受けるように構成することができるので、第１の持ち運び用ストラップ１１０は、コネクタプレート１０４と係合したときに、第２の持ち運び用ストラップ１１２と交差し、これを覆う。別の実施形態では、縦軸８００に沿った第１の通路は、第２の持ち運び用ストラップ１１２を受けることができ、一方、横軸８０２に沿った第２の通路は、第１の持ち運び用ストラップ１１０を受けることができる。
【００１４】
図１２を参照すると、平面８０４は、コネクタプレート本体１０５の前面１２８に隣接して、または前面１２８の近傍で画定され、縦軸８００に沿った第１の通路および横軸８０２に沿った第２の通路に対して平行な態様で延びている。第１の持ち運び用ストラップ１１０が、コネクタプレート１０４に沿って第２の持ち運び用ストラップ１１２と交差したときに、第１の持ち運び用ストラップ１１０および第２の持ち運び用ストラップ１１２は共に、平面８０４に隣接して、または平面８０４の近傍に配置される（図１１）。
【００１５】
図７および図１０に示すように、コネクタプレート１０４は、コネクタ本体１０５の全長である６０ｍｍの外側長さ７００と、第１の辺１３６および第２の辺１３８の長さである約４１ｍｍの内側長さ７０２と、第３の辺１４０および第４の辺１４２の長さである約４０ｍｍの長さ７０４と、第１のブリッジ部分１３２と第２のブリッジ部分１３４との間の長さである約２７ｍｍの長さ７０６と、第１のブリッジ部分１３２および第２のブリッジ部分１３４の長さである約２７ｍｍの長さ７０８とを有することができる。さらに、図１０に示すように、第１のブリッジ部分１３２および第２のブリッジ部分１３４は、約７ｍｍの高さ７１０を有することができる。一部の実施形態では、コネクタプレート本体１０５の寸法の範囲には、５０ｍｍ〜７０ｍｍの長さ７００と、３５ｍｍ〜４５ｍｍの長さ７０２と、２５ｍｍ〜３５ｍｍの長さ７０６と、５ｍｍ〜１０ｍｍの高さ７１０とが含まれ得る。図１３では、縦軸８００に沿った第１の通路および軸８０２に沿った第２の通路の寸法は、それぞれ第１のブリッジ部分１３２および第２のブリッジ部分１３４を受けるように設定されている。
【００１６】
バッグ１１５は、重い物体を担持する、または移送することができる。重い物体は、それらに限定されるものではないが、アイアンタイプのゴルフクラブ、ウッドタイプのゴルフクラブ、およびパタータイプのゴルフクラブを含むゴルフクラブ、本、サプライ、衣類、大工道具、建築設計用具、ボウリング用ボール、測量用具、コンピュータおよびコンピュータ関連アクセサリ、用紙、書類、画材、武器、靴、食糧を含む、バッグ１１５に収容できる任意の物品とすることができる。バッグ１１５は、自己調整式持ち運び用ストラップシステム１０２に連結されさえすれば、任意の構成または形状をとることができる。一部の実施形態では、ゴルフバッグ１１５は、通常、ゴルフバッグ、細長いダッフルバッグ、バックパック、ボウリングバッグ、コンピュータバッグ、リュックサック、またはスーツケースとすることができる。図１に示すように、バッグ１１５は、自己調整式持ち運び用ストラップシステム１０２に関連して第１の上側部分１５６、第２の中央部分１５７、および第３の下側部分１５８を画定することができる。
【００１７】
バッグ１１５は、皮革、合成ゴム、ネオプレン、ポリエチレン、ポリウレタン、アクリロニトリルブタジエンスチレン、樹脂、繊維材料、またはそれらの組み合わせなどの様々な材料で作製することができる。さらに、第１の持ち運び用ストラップ１１０および第２の持ち運び用ストラップ１１２も同様に、皮革、合成ゴム、ネオプレン、ポリエチレン、ポリウレタン、アクリロニトリルブタジエンスチレン、樹脂、繊維材料、またはそれらの組み合わせなどの様々な材料で作製することができる。本明細書で説明する装置、製造する物品、および方法は、これに関して限定されるものではない。
【００１８】
ゴルフバッグの実施形態が図３および図５に示され、全体として１００で表されている。通常、ゴルフバッグ１００は、第１の上側部分１５６、第２の下側部分１５８、および第３の中央部分１５７を画定する略管形の細長い本体１０６を含む。一実施形態では、ゴルフバッグ１００は、人が持ち歩くのに適した持ち運び用バッグである。ゴルフバッグ１００は、コネクタプレート１０４に沿って、交差した態様で互いに重なる第１の持ち運び用ストラップ１１０および第２の持ち運び用ストラップ１１２を有する自己調整式持ち運び用ストラップシステム１０２をさらに含む。ゴルフバッグのコネクタプレート１０４は、人による手を使った任意の調整を必要とすることなしに、第１の持ち運び用ストラップ１１０および第２の持ち運び用ストラップ１１２が自己調整することを可能にするように構成されて、第１の持ち運び用ストラップ１１０および第２の持ち運び用ストラップ１１２は、図５に示すように、ゴルフバッグ１００の移動に応じて、第１の持ち運び用ストラップ１１０の軸９００か、または第２の持ち運び用ストラップ１１２の軸９０２のいずれかに沿って互いに対して自由に移動する。
【００１９】
一部の実施形態では、人がゴルフバッグ１００を持ち歩くときにクッション効果をもたらすために、第１の持ち運び用ストラップ１１０は、第１の肩パッド１１４を含むことができ、第２の持ち運び用ストラップ１１２は、第２の肩パッド１１６を含むことができる。一部の実施形態では、第１の持ち運び用ストラップ１１０は、人が第１の持ち運びストラップ１１０の長さを調整するのを可能にする第１のバックル１５０を含むことができ、一方、第２の持ち運び用ストラップ１１２は、人が第２の持ち運び用ストラップ１１２の長さを調整することを可能にする第２のバックル１５２を含むことができる。
【００２０】
一部の実施形態では、第１の持ち運び用ストラップ１１０および第２の持ち運び用ストラップ１１２のそれぞれの近位部分１１８、１２２を第１のコネクタ装置１２５で共に係合させて、ゴルフバッグ１００の第１の上側部分１５６に隣接して、または第１の上側部分１５６の近傍で、第１の持ち運び用ストラップ１１０および第２の持ち運び用ストラップ１１２を連結することができる。同様に、第１の持ち運び用ストラップ１１０および第２の持ち運び用ストラップ１１２のそれぞれの遠位部分１２４、１２０を第２のコネクタ装置１２７で共に係合させて、ゴルフバッグ１００の第２の下側部分１５８に隣接して、または第２の下側部分１５８の近傍で、第１の持ち運び用ストラップ１１０および第２の持ち運び用ストラップ１１２を連結することができる。しかし、他の実施形態では、第１の持ち運び用ストラップ１１０および第２の持ち運び用ストラップ１１２の近位部分１１８、１２２および遠位部分１２０、１２４は、さらなるコネクタ装置１２５、１２７を使用して、ゴルフバッグ１００に別々に連結することができる。一態様では、第１のコネクタ装置１２５および第２のコネクタ装置１２７は、リングおよびループ装置、独立バックル、フック式ファスナ装置、およびスナップ式コネクタ装置とすることができる。図６〜１０を参照すると、上記のように、コネクタプレート１０４は、第１の持ち運び用ストラップ１１０および第２の持ち運び用ストラップ１１２が、コネクタプレート１０４に沿って互いに重なることと、運んでいるときにゴルフバッグ１００が動いた場合に、手を使わなくても互いに対して移動することとを可能にするように構成されている。
【００２１】
自己調整式持ち運び用ストラップシステム１０２を有するバッグ１１５を製造する方法も図１２〜１４に示されている。図１および図１４を参照すると、ブロック１０００で、第１の上側部分１５６および第２の下側部分１５７を有する管状の細長い本体１０６を形成する。ブロック１００２で、第１の近位部分１２２および第１の遠位部分１２４を有する第１の持ち運び用ストラップ１１０を形成する。ブロック１００４で、第１の近位部分１１８および第２の遠位部分１２０を画定する第２の持ち運び用ストラップ１１２を形成する。ブロック１００６で、第１のチャネル１４４を画定する第１のブリッジ部分１３２と、第２のチャネル１４６を画定する第２のブリッジ部分１３４とを含むコネクタプレート本体１０５を有するコネクタプレート１０４を形成し、コネクタプレート１０４において、第１のブリッジ部分１３２および第２のブリッジ部分１３４は、互いに対して平行な向きにあり、さらには、コネクタプレート本体１０５の前面１２８と同じ平面８０４に隣接する、または平面８０４の近傍にある。さらに、第１のブリッジ部分１３２および第２のブリッジ部分１３４は、第１の通路と、第１のブリッジ部分１３２と第２のブリッジ部分１３４との間で画定される横断空間１３１とを共同して画定し、横断空間１３１は、第１の通路が第２の通路に対して横断する向きにあるように第２の通路を画定する。ブロック１００８で、第２の持ち運び用ストラップ１１２を第１の通路に沿って配置し、第１の持ち運び用ストラップ１１０を第１のチャネル１４４および第２のチャネル１４６に挿入し、第２の通路に沿って配置する。この交差する配置では、第１の持ち運び用ストラップ１１０および第２の持ち運び用ストラップ１１２は、横断する向きで互いに重なる。ブロック１０１０で、第１の持ち運び用ストラップ１１０の第１の近位部分１２２をバッグ１１５の上側部分１５６に取り付け、第１の遠位部分１２４をバッグ１１５の下側部分１５８に取り付ける。ブロック１０１２で、第２の持ち運び用ストラップ１１２の第２の近位部分１１８をバッグの上側部分１５６に取り付け、第２の遠位部分１２０をバッグ１１５の下側部分１５８に取り付ける。さらに、第１の持ち運び用ストラップ１１０および第２の持ち運び用ストラップ１１２は、互いに対して自由に移動することができるので、各それぞれの第１の持ち運び用ストラップ１１０および第２の持ち運び用ストラップ１１２は、人がバッグ１１５を持ち歩いているときに、バッグ１１５が動いた場合は常に、人の手を使わなくても自動調整する。一実施形態では、コネクタプレート本体１０５は、型成形加工、スタンピング加工、フライス加工、およびそれらの組み合わせを使用して形成することができる。一部の実施形態では、コネクタプレート本体１０５は、樹脂、金属、または複合材料から作製することができる。上記の製造方法は、図１２〜１４に示した自己調整式持ち運び用ストラップシステム１０２を有するゴルフバッグ１００を製造するのに使用することができる。
【００２２】
図１５〜２５を参照すると、２０２で示した、調整可能な持ち運び用ストラップシステムの他の実施形態は、第１の近位部分および第１の遠位部分を画定する第１の持ち運び用ストラップ２０７と、第２の近位部分および第２の遠位部分を画定する第２の持ち運び用ストラップ２０９とを含む。第１の持ち運び用ストラップ２０７および第２の持ち運び用ストラップ２０９は、コネクタプレート２０４に沿って、「Ｘ字」形状などの交差する態様で互いに重なる。一実施形態では、第１の持ち運び用ストラップ２０７および第２の持ち運び用ストラップ２０９は、実質的に「Ｘ字」形状のままであるので、この重なった配置により、第１の持ち運び用ストラップ２０７および第２の持ち運び用ストラップ２０９が、互いに対して自由に移動することが可能になる。第１の持ち運び用ストラップ２０７および第２の持ち運び用ストラップ２０９の互いに対するこの自由な移動により、コネクタプレート２０４が自動的に中心に位置し、第１の持ち運び用ストラップ２０７および第２の持ち運び用ストラップ２０９による単一および二重の両方の肩担持装置に対して、一様な荷重負荷が各肩に加えられるのに寄与することが可能になる。図１５、図１６、および図１８に示すように、コネクタプレート２０４は、第１の持ち運び用ストラップ２０７および第２の持ち運び用ストラップ２０９が、人による手を使った調整の必要なしに、互いに対して自己調整することを可能にするように構成されて、第１の持ち運び用ストラップ２０７および第２の持ち運び用ストラップ２０９は、上側部分２５６、中央部分２５７、および下側部分２５８を有するバッグ２１５の移動に応じて、第１の持ち運び用ストラップ２０７の軸９０４か、または第２の持ち運び用ストラップ２０９の軸９０６に沿って、互いに対して自由に移動する。図２７を参照すると、第２の持ち運び用ストラップ２０９は、下記にさらに詳細に説明するように、第２の持ち運び用ストラップ２０９を調整する場合に、軸９１６、９１８を境界とする方向で点９０８のまわりに位置を変える（turning）こともできる。
【００２３】
図１７および図１９を参照すると、自己調整式持ち運び用ストラップシステム２０２はまた、バッグ１１５に対するのと同様な態様でゴルフバッグ２００と係合することもできる。特に、第１の持ち運び用ストラップ２０７および第２の持ち運び用ストラップ２０９は、自己調正式持ち運び用ストラップシステム２０２の自動調整が行われるときに、第１の持ち運び用ストラップ２０７および第２の持ち運び用ストラップ２０９が、それぞれ軸９０４、軸９０６に沿って移動するのを可能にするように構成されたコネクタプレート２０４で互いに重なる。上記のように、第２の持ち運び用ストラップ２０９は、第２の持ち運び用ストラップ２０９の自動調整が行われるときに、点９０８のまわりに旋回することができる。
【００２４】
図２０〜２５を参照すると、コネクタプレート２０４は、既存のバッグ２１５に後付けで追加できるモジュール式部品である。コネクタプレート２０４は、第１の持ち運び用ストラップ２０７および第２の持ち運び用ストラップ２０９が、コネクタプレート２０４に沿って互いに重なることと、運んでいるときにバッグ２１５が動いた場合に、すなわち、バッグ２１５を運んでいる人に対してバッグ２１５が位置を変えたときに、第１の持ち運び用ストラップ２０７および第２の持ち運び用ストラップ２０９が、手を使わなくても互いに対して移動することとを可能にするように構成されている。図２１および図２５に示すように、コネクタプレート２０４は、平行な向きにある、両側の第１の隆起部分２１０および第２の隆起部分２１２とつながった中央部分２０８を有するコネクタプレート本体２０６を含み、第１の隆起部分２１０および第２の隆起部分２１２は、コネクタ本体２０６の、第１の隆起部分２１０と第２の隆起部分２１２との間の領域で横断空間２３１を画定する。コネクタプレート２０４は、中央部分２０８と第１の隆起部分２１０との間で画定される第１の移行部分２２１と、中央部分２０８と第２の隆起部分２１２との間で画定される第２の移行部分２２３とをさらに画定する。第１の移行部分２２１は、角度Ｂをなす平面９２０に実質的に合致し、一方、第２の移行部２２３は、同じ角度Ｂをなす平面９２２に実質的に合致している。一部の実施形態では、それぞれの平面９２０、または平面９２２と平面９１０との間で画定される角度Ｂは、鈍角、鋭角、または直角とすることができる。一実施形態では、角度Ｂは、３０°〜１３０°の範囲をとることができる。コネクタプレート本体２０６は、共同して略長方形形状を形成する第１の辺２３６、第２の辺２３８、第３の辺２４０、および第４の辺２４２を有する前面２１８および後面２２０を画定する。一部の実施形態では、第１の辺２３６、第２の辺２３８、第３の辺２４０、および第４の辺２４２は、湾曲した、またはとがった縁部を形成することができる。一部の実施形態では、第１の辺２３６、第２の辺２３８、第３の辺２４０、および第４の辺２４２は、対称の形態、非対称の形態、非対称または先細の形態を有することができるが、本明細書で説明する装置、製造する物品、および方法は、これに関して限定されるものではない。例えば、コネクタプレート本体２０６は、正方形の形態、円形の形態、だ円形の形態、および長方形の形態を有することができる。
【００２５】
図２５を参照すると、第１のスロット２１４および第２のスロット２１６は、第１の持ち運び用ストラップ２０７または第２の持ち運び用ストラップ２０９が、第１のスロット２１４および第２のスロット２１６に挿入されたときに、第１の持ち運び用ストラップ２０７または第２の持ち運び用ストラップ２０９を受けるように構成された第１の平面９１０の上に画定される。本明細書において、「スロット」という用語は、第１の持ち運び用ストラップ２０７を受けるのに十分な寸法を有する任意の細長い開口を指す。図２１に示すように、第１のスロット２１４および第２のスロット２１６は、縦軸９１４に沿った第１の通路を画定するように並び、一方、横断空間２３１は、横軸９１５に沿った第２の通路に沿って並ぶ。軸９１４に沿った第１の通路、および横軸９１５に沿った第２の通路は、交差する構成で互いに横断する向きに置くことができる。さらに、縦軸９１４に沿った第１の通路は、第１の持ち運び用ストラップ２０７を受けるように構成することができ、一方、横軸９１５に沿った第２の通路は、第１の持ち運び用ストラップ２０７がコネクタプレート２０４と係合した場合に、第１の持ち運び用ストラップ２０７が第２の持ち運び用ストラップ２０９と交差し、これを覆うように第２の持ち運び用ストラップ２０９を受ける形で構成することができる。他の実施形態では、縦軸９１４に沿った第１の通路は、第２の持ち運び用ストラップ２０９を受けることができ、一方、横軸９１５の沿った第２の通路は、第１の持ち運び用ストラップ２０７を受けることができる。
【００２６】
再度図２５を参照すると、平面９１０は、コネクタプレート本体２０６の前面２１８に隣接して、または前面２１８の近傍で画定され、縦軸９１４に沿った第１の通路および横軸９１５に沿った第２の通路に対して平行な態様で延びている。第１の持ち運び用ストラップ２０７が、コネクタプレート２０４に沿って第２の持ち運び用ストラップ２０９と交差すると、第１の持ち運び用ストラップ２０７および第２の持ち運び用ストラップ２０９は共に、平面９１０に隣接して、または平面９１０の近傍に配置される。図１８、図１９、および図２７を参照すると、第２の持ち運び用ストラップ２０９は、第１の持ち運び用ストラップ２０７に対して位置を変える動作２５０を行うことができて、第２の持ち運び用ストラップ２０９は、法線から＋１５°〜＋２０°と−１５°〜−２０°との間の範囲をとることができる角度Ａをなす軸９１６、９１８間の方向に自己調整しながら移動することができる。一実施形態では、第２の持ち運び用ストラップ２０９の位置を変える動作は、第２の通路の長さが第２の持ち運び用ストラップ２０９の幅よりも長く、それによって、第２の持ち運び用ストラップ２０９が横方向に移動および回転することが可能になることでもたらされる。本明細書において、「位置変える（turning）」という用語は、点９０８のまわりか、または、第１の持ち運び用ストラップ２０７に対する軸９１６、９１８間に規定される任意の方向における第２の持ち運び用ストラップ２０９の任意のタイプの横方向動作、横断動作、旋回動作、または回転動作を指す。
【００２７】
図２１、図２４、および図２５に示すように、コネクタプレート２０４は、コネクタプレート本体２０６の全長である約６２ｍｍの長さ１１００と、第１の辺２３６および第３の辺２４０の長さである約３８ｍｍの長さ１１０２と、第１の隆起部分２１０および第２の隆起部分２１２の長さである約１４ｍｍの長さ１１０６と、第１のスロット２１４および第２のスロット２１６の長さである約３０ｍｍの長さ１１０８と、第１のスロット２１４と第２のスロット２１６との間の長さである約３０ｍｍの長さ１１０４と、第１のスロット２１４および第２のスロット２１６の高さである約３ｍｍの長さ１１１０と、第１の隆起部分２１０および第２の隆起部分２１２の高さである約６ｍｍの長さ１１１２とを有することができる。一実施形態では、第２の通路の幅を画定する、第１のスロット２１４と第２のスロット２１６との間の長さである長さ１１０４は、第１のスロット２１４および第２のスロット２１６の長さである長さ１１０８よりも長いので、第２の持ち運び用ストラップ２０９の幅は、第２の通路の幅よりも常に短く、それにより、第２の持ち運び用ストラップ２０９に横方向に移動するための十分な空間を付与する。一部の実施形態では、コネクタプレート本体２０６の寸法範囲として、長さ１１００は５０ｍｍ〜７０ｍｍ、長さ１１０２は３６ｍｍ〜４２ｍｍ、長さ１１０４は２８ｍｍ〜３２ｍｍ、長さ１１０６は１１ｍｍ〜１７ｍｍ、長さ１１０８は２９ｍｍ〜３２ｍｍ、長さ１１１０は３ｍｍ〜４ｍｍ、および長さ１１１２は５ｍｍ〜７ｍｍであり得る。
【００２８】
自己調整式持ち運び用ストラップシステム２０２を有するバッグ２１５を製造する方法も図２６〜２８に示されている。図２８を参照すると、ブロック１２００で、上側部分２５６および下側部分２５８を有するバッグ２１５を形成する。ブロック１２０２で、第１の近位部分２８４および第１の遠位部分２８６を有する第１の持ち運び用ストラップ２０７を形成する。ブロック１２０４で、第２の近位部分２８０および第２の遠位部分２８２を有する第２の持ち運び用ストラップ２０９を形成する。ブロック１２０６で、第１のチャネル２１４を画定する第１の隆起部分２１０、および第２のチャネル２１６を画定する第２の隆起部分２１２とつながった中央部分２０８を画定するコネクタプレート本体２０６を有するコネクタプレート２０４を形成し、第１の隆起溝２１０および第２の隆起溝２１２は、第１の通路と、第１の通路が第２の通路に対して横断する向きにあるように第２の通路を画定する、第１の隆起部分２１０と第２の隆起部分２１２との間で画定された横断空間とに沿って整列する。ブロック１２０８で、第１の持ち運び用ストラップ２０７が第２の持ち運び用ストラップ２０９を覆うように、第２の持ち運び用ストラップ２０９を第２の通路に沿って配置し、第１の持ち運び用ストラップ２０７を第１の通路に沿って配置する。この交差する配置では、第１の持ち運び用ストラップ２０７および第２の持ち運び用ストラップ２０９は、横断する向きで互いに重なる。ブロック１２１０で、第１の持ち運び用ストラップ２０７の第１の近位部分２８４をバッグ２１５の上側部分２５６に取り付け、第１の遠位部分２８６をバッグ２１５の下側部分２５８に取り付ける。ブロック１２１２で、第２の持ち運び用ストラップ２０９の第２の近位部分２８０をバッグの上側部分２５６に取り付け、第２の遠位部分２８２をバッグ２１５の下側部分２５８に取り付ける。さらに、第１の持ち運び用ストラップ２０７および第２の持ち運び用ストラップ２０９は、互いに対して自由に移動することができるので、人がバッグ２１５を持ち歩いているときにバッグ２１５が動いた場合は常に、各それぞれの第１の持ち運び用ストラップ２０７および第２の持ち運び用ストラップ２０９は、人の手を使わなくても自動調整する。一実施形態では、コネクタプレート本体２０６は、型成形加工、スタンピング加工、フライス加工、およびそれらの組み合わせを使用して形成することができる。一部の実施形態では、コネクタプレート本体２０６は、樹脂、金属、または複合材料から作製することができる。さらに、第１の隆起部分２１０および第２の隆起部分２１２は、製造時に、中央部分２０８に取り付けるか、またはそれ以外に接着することができるし、あるいは、中央部分２０８と、第１の隆起部分２１０および第２の隆起部分２１２とが一体化した単体として形成されるようにコネクタ本体プレート２０６を形成することもできるが、本明細書で説明する装置、製造する物品、および方法は、これに関して限定されるものではない。上記の製造方法は、図２６〜２８に示した自己調整式持ち運び用ストラップシステム２０２を有するゴルフバッグ２００を製造するのに使用することができる。
【００２９】
バッグ１１５と同様に、バッグ２１５も重い物体を担持する、または移送することができる。重い物体は、それらに限定されるものではないが、アイアンタイプのゴルフクラブ、ウッドタイプのゴルフクラブ、およびパタータイプのゴルフクラブを含むゴルフクラブ、ならびにゴルフクラブ１１５に関して上記した他の物体を含む、バッグ２１５に収容できる任意の物品とすることができる。さらに、バッグ２１５は、自己調整式持ち運び用ストラップシステム２０２に連結されさえすれば、任意の構成または形状であり得る。一部の実施形態では、バッグ２１５は、通常、ゴルフバッグ、リュックサック、ダッフルバッグ、またはスーツケースとすることができる。
【００３０】
ゴルフバッグ１００、２００は、皮革、合成ゴム、ネオプレン、ポリエチレン、ポリウレタン、アクリロニトリルブタジエンスチレン、樹脂、繊維材料、またはそれらの組み合わせなどの様々な材料で作製することができる。さらに、第１の持ち運び用ストラップ１１０、２０７および第２の持ち運び用ストラップ１１２、２０９も、皮革、合成ゴム、ネオプレン、ポリエチレン、ポリウレタン、アクリロニトリルブタジエンスチレン、樹脂、繊維材料、またはそれらの組み合わせなどの様々な材料で作製することができる。本明細書で説明した装置、製造する物品、および方法は、これに関して限定されるものではない。
【００３１】
特定の実施形態が、図示および説明されたが、当業者には明らかなように、本発明の趣旨および範囲から逸脱することなく様々な修正を行うことができるのは、前述から当然のことである。そのような変更および修正は、添付の特許請求の範囲で定義された本発明の範囲および教示の範囲内である。
以下に本実施例の特徴を列挙する。
（特徴１）
第１の面および第２の面を画定するコネクタプレート本体と、
前記第１の面から延び、第１のチャネルを画定する第１のブリッジ部分と、
前記第２の面から延び、第２のチャネルを画定する第２のブリッジ部分と、
を備えるコネクタプレートであって、
前記第１および第２のチャネルは、バッグの第１の持ち運び用ストラップを受ける第１の通路と、前記バッグの第２の持ち運び用ストラップを受ける第２の通路を、前記第１の通路が前記第２の通路に対して横断する向きにあるように形成する横断空間とを画定する、コネクタプレート。
（特徴２）
前記第１の通路は、前記コネクタプレートに沿った縦軸を画定し、前記第２の通路は、前記コネクタプレートに沿った横軸を画定し、前記縦軸は前記横軸に対して横断する向きにある、特徴１に記載のコネクタプレート。
（特徴３）
前記第１および第２のブリッジ部分は、実質的に互いに平行である、特徴１に記載のコネクタプレート。
（特徴４）
コネクタプレート本体を含むコネクタプレートであって、コネクタプレート本体は、
中央部分と、
前記中央部分から延び、第１のスロットを画定する第１の隆起部分と、
前記中央部分から延び、第２のスロットを画定する第２の隆起部分と、
を備え、
前記第１のスロットおよび前記第２のスロットは、バッグの第１の持ち運び用ストラップを受ける第１の通路を画定し、前記第１の隆起部分および前記第２の隆起部分は、前記バッグの第２の持ち運び用ストラップを受ける第２の通路を、前記第１の通路が前記第２の通路と交差するように形成する横断空間を画定する、コネクタプレート。
（特徴５）
前記第１の通路は、前記コネクタプレートに沿った縦軸を画定し、前記第２の通路は、前記コネクタプレートに沿った横軸を画定し、前記縦軸は前記横軸に対して横断する向きにある、特徴４に記載のコネクタプレート。
（特徴６）
前記第２の持ち運び用ストラップは、前記第１の隆起部分と前記第２の隆起部分との間に画定された前記横断空間の範囲内で位置を変えることができる、特徴５に記載のコネクタプレート。
（特徴７）
前記第１の隆起部分および前記第２の隆起部分は、実質的に互いに平行である、特徴４に記載のコネクタプレート。
（特徴８）
バッグ用の自己調整式持ち運び用ストラップシステムであって、
第１の持ち運び用ストラップと、
第２の持ち運び用ストラップと、
後面および前面を有するコネクタプレート本体を含むコネクタプレートであって、前記前面は、第１の平面に隣接する、または第１の平面近傍の第１のブリッジ部分および第２のブリッジ部分と、前記第１の平面に隣接する、または第１の平面近傍の前記第１のブリッジ部分と前記第２のブリッジ部分との間で画定される横断空間とを画定し、前記第１のブリッジ部分および前記第２のブリッジ部分は、前記第１の持ち運び用ストラップを受け、前記横断空間は、前記第１の持ち運び用ストラップが前記第２の持ち運び用ストラップを覆うように前記第２の持ち運び用ストラップを受ける、コネクタプレートと、
を備える自己調整式持ち運び用ストラップシステム。
（特徴９）
前記第１のブリッジ部分は、第１のチャネルを画定し、前記第２のブリッジ部分は、第２のチャネルを画定し、前記第１の持ち運び用ストラップは、前記コネクタプレートと係合されるときに、前記第１のチャネルおよび前記第２のチャネルに挿入される、特徴８に記載のシステム。
（特徴１０）
前記第１および第２のチャネルは、前記第１の持ち運び用ストラップを受ける、縦軸に沿った第１の通路を画定するように並び、前記横断空間は、前記第２の持ち運び用ストラップを受ける、横軸に沿った第２の通路を画定する、特徴９に記載のシステム。
（特徴１１）
前記バッグには、ゴルフバッグ、工具バッグ、ブックバッグ、バックパック、ダッフルバッグ、コンピュータバッグ、スーツケース、またはリュックサックのうちの少なくとも１つが含まれる、特徴８に記載のシステム。
（特徴１２）
前記第１および第２の持ち運び用ストラップは、前記コネクタプレートに沿って互いに重なり、運んでいるときにゴルフバックが動いた場合に、手を使わなくても互いに対して移動する、特徴８に記載のシステム。
（特徴１３）
前記コネクタプレートは、第１の辺、第２の辺、第３の辺、および第４の辺を画定し、前記第１の辺および第２の辺の長さは実質的に等しく、前記第３の辺および第４の辺の長さは実質的に等しい、特徴８に記載のシステム。
（特徴１４）
前記第１の辺および第２の辺は、それぞれ前記第３の辺および第４の辺と比較して長さが長い、特徴１３に記載のシステム。
（特徴１５）
１つまたは複数のゴルフクラブを受け入れるチャンバと連通する開口を画定する第１の上側部分を有する細長い本体と、
前記細長い本体の第１の部分に連結されたそれぞれの第１の端部部分と、前記細長い本体の第２の部分に連結されたそれぞれの第２の端部部分とを有する第１の持ち運び用ストラップおよび第２の持ち運び用ストラップであって、前記第１の持ち運び用ストラップが前記第２の持ち運び用ストラップを覆う、第１および第２の持ち運び用ストラップと、
第１のブリッジ部分および第２のブリッジ部分を含む本体を有するコネクタプレートであって、第１のブリッジ部分および第２のブリッジ部分は、前記第１の持ち運び用ストラップを受ける第１の通路と、前記第２の持ち運び用ストラップを受ける第２の通路を、前記第１の通路が前記第２の通路に対して横断する向きにあるように形成する、前記第１および第２のブリッジ部分間に画定される横断空間とを画定する、コネクタプレートと、
を備えるバッグ。
（特徴１６）
前記第１の持ち運び用ストラップは、互いに対して横断する向きで、前記第２の持ち運び用ストラップを覆う、特徴１５に記載のバッグ。
（特徴１７）
前記第１の通路は、前記コネクタプレートに沿った縦軸を画定し、前記第２の通路は、前記コネクタプレートに沿った横軸を画定し、前記コネクタプレートにおいて、前記縦軸は前記横軸に対して横断する向きにある、特徴１５に記載のバッグ。
（特徴１８）
前記第１の通路および前記第２の通路は、前記コネクタプレートの前記本体によって画定される第１の平面に隣接する、または第１の平面近傍にある、特徴１５に記載のバッグ。
（特徴１９）
前記第１の持ち運び用ストラップおよび前記第２の持ち運び用ストラップは、手を使わなくても自動調整可能なように、横断する向きに互いに対して移動する、特徴１５に記載のバッグ。
（特徴２０）
前記第１のブリッジ部分および前記第２のブリッジ部分はそれぞれ、前記第１のブリッジ部分と前記第２のブリッジ部分との間で画定される第２の長さと実質的に同じである第１の長さを画定する、特徴１５に記載のバッグ。
（特徴２１）
前記第１の長さおよび前記第２の長さは、それぞれ２５ｍｍ〜３５ｍｍの範囲である、特徴２０に記載のバッグ。
（特徴２２）
前記コネクタプレートは、前記第１のブリッジ部分とつながった第１のチャネルと、前記第２のブリッジ部分とつながった第２のチャネルとを含む、特徴１５に記載のバッグ。
（特徴２３）
前記第１および第２のブリッジ部分は、実質的に互いに平行である、特徴１５に記載のバッグ。
（特徴２４）
前記第１のチャネルおよび前記第２のチャネルは縦軸に沿って一列に整列する、特徴１５に記載のバッグ。
（特徴２５）
前記第１の持ち運び用ストラップ、または前記第２の持ち運び用ストラップのうちの少なくとも一方は、前記細長い本体の移動に応じて自動調整するように構成される、特徴１５に記載のバッグ。
（特徴２６）
前記第１の持ち運び用ストラップ、または前記第２の持ち運び用ストラップのうちの少なくとも一方は肩パッドを備える、特徴１５に記載のバッグ。
（特徴２７）
前記第１の持ち運び用ストラップは、前記細長い本体の第１の部分と係合する近位部分と、前記細長い本体の第２の部分と係合する遠位部分とを画定し、前記第２の持ち運び用ストラップは、前記細長い本体の前記第１の部分と係合する近位部分と、前記細長い本体の前記第２の部分と係合する遠位部分とを画定し、前記第１の持ち運び用ストラップは前記第２の持ち運び用ストラップを覆う、特徴１５に記載のバッグ。
（特徴２８）
前記第１の持ち運び用ストラップは、前記第１のブリッジ部分および前記第２のブリッジ部分内に配置される、特徴１５に記載のバッグ。
（特徴２９）
調整可能な持ち運び用ストラップシステムを有するゴルフバッグを製造する方法であって、
上側部分および下側部分を有する管状の細長い本体を形成することと、
第１の近位部分および第１の遠位部分を有する細長いストラップ本体を画定する第１の持ち運び用ストラップを形成することと、
第２の近位部分および第２の遠位部分を有する第２の細長い本体を画定する第２の持ち運び用ストラップを形成することと、
第１のチャネルを画定する第１のブリッジ部分と第２のチャネルを画定する第２のブリッジ部分とを含む本体を有するコネクタプレートを形成し、第１のブリッジ部分および第２のブリッジ部分は、前記第１の持ち運び用ストラップを受けるように構成された第１の通路と、前記第２の持ち運び用ストラップを受けるように構成された第２の通路を、前記第１の通路が前記第２の通路に対して横断する向きにあるように形成する、前記第１および第２のブリッジ部分間に画定される横断空間とを共同して画定し、前記第１および第２の持ち運び用ストラップが、横断する向きで互いに重なることと、
を備える方法。
（特徴３０）
前記コネクタプレートを形成することには、前記第１および第２のブリッジ部分が実質的に互いに平行であるように前記第１および第２のブリッジ部分を形成することが含まれる、特徴２９に記載の方法。
（特徴３１）
前記第２の持ち運び用ストラップを前記第１の通路に沿って配置し、前記第１の持ち運び用ストラップが前記第２の通路に沿って配置されるように、前記第１の持ち運び用ストラップを前記第１および第２のチャネルに挿入することをさらに備える、特徴２９に記載の方法。
（特徴３２）
前記第１の持ち運び用ストラップの前記第１の近位部分を前記管状の細長い本体の前記上側部分に取り付け、前記第１の遠位部分を前記管状の細長い本体の前記下側部分に取り付けることをさらに備える、特徴２９に記載の方法。
（特徴３３）
前記第２の持ち運び用ストラップの前記第２の近位部分を前記管状の細長い本体の前記上側部分に取り付け、前記第２の遠位部分を前記管状の細長い本体の前記下側部分に取り付けることをさらに備える、特徴２９に記載の方法。
【図１】
0005999991.tif 000002
【図２】
0005999991.tif 000003
【図３】
0005999991.tif 000004
【図４】
0005999991.tif 000005
【図５】
0005999991.tif 000006
【図６】
0005999991.tif 000007
【図７】
0005999991.tif 000008
【図８】
0005999991.tif 000009
【図９】
0005999991.tif 000010
【図１０】
0005999991.tif 000011
【図１１】
0005999991.tif 000012
【図１２】
0005999991.tif 000013
【図１３】
0005999991.tif 000014
【図１４】
0005999991.tif 000015
【図１５】
0005999991.tif 000016
【図１６】
0005999991.tif 000017
【図１７】
0005999991.tif 000018
【図１８】
0005999991.tif 000019
【図１９】
0005999991.tif 000020
【図２０】
0005999991.tif 000021
【図２１】
0005999991.tif 000022
【図２２】
0005999991.tif 000023
【図２３】
0005999991.tif 000024
【図２４】
0005999991.tif 000025
【図２５】
0005999991.tif 000026
【図２６】
0005999991.tif 000027
【図２７】
0005999991.tif 000028
【図２８】
0005999991.tif 000029